(57)【特許請求の範囲】
【請求項１】
浴室の壁面に取り付けられる支持材と、
前記支持材に下面を支持され複数の側端面を有する天板であって、前記複数の側端面の全てが前記壁面および浴槽から水平方向に離間して設けられる天板と、
を備え、
前記支持材は、前記壁面に接続された傾斜面部と、前記傾斜面部と前記天板との間を接続する立面部と、を有し、
前記傾斜面部の上面は、前記壁面に接続され前記支持材が前記壁面に取り付けられた状態において前記天板から前記壁面へ向かって上方へ傾斜した第１の斜面を有し、
前記立面部は、前記支持材が前記壁面に取り付けられた状態において前記天板から前記壁面とは反対方向に下向きに傾斜することを特徴とする浴室用カウンタ。
【請求項２】
前記上面は、前記支持材が前記壁面に取り付けられた状態において、前記天板よりも後方側かつ前記第１の斜面よりも前方側に配置される第２の斜面であって前記天板から前記壁面へ向かって下方へ傾斜した第２の斜面を有することを特徴とする請求項１記載の浴室用カウンタ。
【請求項３】
前記支持材は、
前記壁面に取り付けられ前記天板を支持する支持材本体と、
前記支持材本体の外周を覆うカバーと、
を有することを特徴とする請求項１記載の浴室用カウンタ。
【請求項４】
前記支持材のうちで前記天板と前記壁面との間に存在する部分の横方向の長さは、前記天板の横方向の長さよりも短いことを特徴とする請求項１〜３のいずれか１つに記載の浴室用カウンタ。
【発明の詳細な説明】
【技術分野】
【０００１】
本発明の態様は、一般的に、浴室の壁に取り付けられる浴室用カウンタに関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除に手間がかかるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、清掃性を向上させることができる浴室用カウンタを提供することを目的とする。
【課題を解決するための手段】
【０００８】
第１の発明は、浴室の壁面に取り付けられる支持材と、前記支持材に下面を支持され複数の側端面を有する天板であって、前記複数の側端面の全てが前記壁面および浴槽から水平方向に離間して設けられる天板と、を備え、前記支持材は、前記壁面に接続された傾斜面部と、前記傾斜面部と前記天板との間を接続する立面部と、を有し、前記傾斜面部の上面は、前記壁面に接続され前記支持材が前記壁面に取り付けられた状態において前記天板から前記壁面へ向かって上方へ傾斜した第１の斜面を有し、前記立面部は、前記支持材が前記壁面に取り付けられた状態において前記天板から前記壁面とは反対方向に下向きに傾斜することを特徴とする浴室用カウンタである。
【０００９】
この浴室用カウンタによれば、天板の全ての側端面が浴槽および壁面から水平方向に離間しているため、天板と浴槽との間および天板と壁面との間において入隅が形成されることを抑えることができる。
【００１０】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えはより良好である。
【００１１】
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
【００１２】
さらに、支持材が壁面に取り付けられた状態において、第１の斜面は、天板から壁面へ向かって上方へ傾斜している。そのため、支持材の上面を流れる水は、壁面には到達し難い。そのため、第１の斜面は、支持材の上面を流れ壁面に到達する水の量を低減することができる。そのため、水が支持材と壁面との間の角部に溜まり、汚れが角部に付着することを抑制することができる。これにより、浴室用カウンタの清掃性を向上させることができる。
【００１３】
また、支持材が壁面に取り付けられた状態において、第１の斜面は、天板から壁面へ向かって上方へ傾斜している。そのため、支持材上面と壁面とのなす角度が大きく、仮に支持材と壁面との間の角部に汚れが付着した場合でも、例えば清掃者は、支持材と壁面との間の角部を清掃しやすい。これにより、浴室用カウンタの清掃性を向上させることができる。
【００１４】
第２の発明は、第１の発明において、前記上面は、前記支持材が前記壁面に取り付けられた状態において、前記天板よりも後方側かつ前記第１の斜面よりも前方側に配置される第２の斜面であって前記天板から前記壁面へ向かって下方へ傾斜した第２の斜面を有することを特徴とする浴室用カウンタである。
【００１５】
この浴室カウンタによれば、支持材の上面は、支持材が壁面に取り付けられた状態において、天板よりも後方側かつ第１の斜面よりも前方側に配置される第２の斜面であって、天板から壁面へ向かって下方へ傾斜した第２の斜面を有する。そのため、天板から第２の斜面に流れ落ちた水は、第２の斜面を流下する。これにより、第１の斜面よりも前方側にある支持材の上面において、水が溜まる面積を小さくすることができる。したがって、支持材の上面に水が溜まり、汚れが支持材の上面に付着することを抑制することができる。これにより、浴室用カウンタの清掃性を向上させることができる。
【００１６】
第３の発明は、第１の発明において、前記支持材は、前記壁面に取り付けられ前記天板を支持する支持材本体と、前記支持材本体の外周を覆うカバーと、を有することを特徴とする浴室用カウンタである。
【００１７】
この浴室用カウンタによれば、カバーが支持材本体の周囲を覆うことにより、支持材本体は、比較的複雑な構造を有することができる。比較的複雑な構造としては、例えば、天板を支える耐荷重性を確保するためのリブが設けられた構造などが挙げられる。つまり、支持材本体の周囲をカバーで覆うことにより、支持材の周囲を平面や曲面などの面により形成することができる。これにより、支持材本体の耐荷重性を確保しつつ、支持材を比較的容易に清掃することができる。
【００１８】
第４の発明は、第１〜３の発明において、前記支持材のうちで前記天板と前記壁面との間に存在する部分の横方向の長さは、前記天板の横方向の長さよりも短いことを特徴とする浴室用カウンタである。
【００１９】
この浴室用カウンタによれば、水がかかりやすい支持材の上面の面積を小さく抑えることで、支持材の上面に水が溜まる面積を小さく抑えることができる。これにより、支持材において水垢や石鹸カスなどによる汚れが発生する面積を抑えることができるため、支持材を清掃する手間を低減することができる。
【発明の効果】
【００２０】
本発明の態様によれば、清掃性を向上させることができる浴室用カウンタが提供される。
【図面の簡単な説明】
【００２１】
【図１】本実施形態にかかる浴室用カウンタが設置された浴室を表す模式的斜視図である。
【図２】本実施形態にかかる浴室用カウンタを表す模式的平面図である。
【図３】本実施形態にかかる浴室用カウンタを表す模式的平面図である。
【図４】本実施形態にかかる浴室用カウンタを表す模式的平面図である。
【図５】本実施形態にかかる浴室用カウンタを表す模式的平面図である。
【図６】本実施形態の天板の側端面に付着した汚れを表す模式的平面図である。
【図７】天板の手入れ方法の一例を例示する模式的平面図である。
【図８】本実施形態の変形例にかかる浴室用カウンタを表す模式的平面図である。
【図９】本実施形態の他の変形例にかかる浴室用カウンタを表す模式的平面図である。
【図１０】本実施形態の具体例にかかる浴室用カウンタを表す模式的分解図である。
【図１１】本具体例にかかる浴室用カウンタを表す模式的平面図である。
【図１２】本具体例にかかる浴室用カウンタを表す模式的断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本実施形態にかかる浴室用カウンタが設置された浴室を表す模式的斜視図である。  
図２は、本実施形態にかかる浴室用カウンタを表す模式的平面図である。  
図３は、本実施形態にかかる浴室用カウンタを表す模式的平面図である。  
図４は、本実施形態にかかる浴室用カウンタを表す模式的平面図である。  
図５は、本実施形態にかかる浴室用カウンタを表す模式的平面図である。  
図２は、図１に表した矢印Ａ３の方向にみたときの浴室用カウンタを表す模式的平面図である。図３は、図１に表した矢印Ａ１の方向にみたときの浴室用カウンタを表す模式的平面図である。図４は、図１に表した矢印Ａ２の方向にみたときの浴室用カウンタを表す模式的平面図である。図５は、図１に表した矢印Ａ４の方向にみたときの浴室用カウンタを表す模式的平面図である。
【００２３】
図１〜図５に表したように、本実施形態にかかる浴室用カウンタ３００は、天板３１０と、支持材３２０と、を備え、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２４】
第１の壁面１１０には、水栓４００および鏡５００が取り付けられている。水栓４００は、例えば天板３１０の上に載置された洗面器に水を供給する。本願明細書において、「水」には、冷水のみならず、加温されたお湯が含まれる。
【００２５】
支持材３２０は、第１の壁面１１０に取り付けられている。より具体的には、図５に表したように、支持材３２０の一端は、例えばボルトなどの締結具３７２により第１の壁面１１０に固定されている。支持材３２０の他端は、例えばネジなどの締結具３７１により天板３１０の下面３１７に固定され、天板３１０の下面３１７を支持している。図２に表したように、支持材３２０が締結具３７２により第１の壁面１１０に固定された位置は、天板３１０の下面３１７よりも下方である。
【００２６】
本願明細書において、「下方」とは、浴室用カウンタ３００が第１の壁面１１０に取り付けられた状態において、鉛直方向であって天板３１０からみて支持材３２０の側の方向をいう。本願明細書において、「上方」とは、「下方」とは反対の方向をいう。本願明細書において、「前方」とは、浴室用カウンタ３００が第１の壁面１１０に取り付けられた状態において、第１の壁面１１０に垂直な方向であって第１の壁面１１０からみて浴室カウンタ３００の側の方向をいう。本願明細書において、「後方」とは、「前方」とは反対の方向をいう。
【００２７】
天板３１０は、第１の側端面３１１と、第２の側端面３１２と、第３の側端面３１３と、第４の側端面３１４と、上面３１６と、下面３１７と、を有し、支持材３２０により支持されている。図３および図４に表したように、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００２８】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００２９】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。
【００３０】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６を前方側に下降傾斜させておくことが好ましい。
【００３１】
図２に表したように、支持材３２０は、上面３２２を有する。上面３２２は、第１の斜面３２２ａと、第２の斜面３２２ｂと、を有する。第１の斜面３２２ａの一端は、第１の壁面１１０に接続されている。第１の斜面３２２ａの他端は、第２の斜面３２２ｂに接続されている。支持材３２０が第１の壁面１１０に取り付けられた状態において、第２の斜面３２２ｂは、天板３１０よりも後方側かつ第１の斜面３２２ａよりも前方側に配置されている。第２の斜面３２２ｂの一端は、第１の斜面３２２ａに接続されている。第２の斜面３２２ｂの他端が延長された部分は、天板３１０の下面３１７に接続されている。
【００３２】
支持材３２０が第１の壁面１１０に取り付けられた状態において、第１の斜面３２２ａは、天板３１０から第１の壁面１１０へ向かって上方へ傾斜している。第１の斜面３２２ａと、第１の壁面１１０と、の間には、角部３９１が存在する。支持材３２０が第１の壁面１１０に取り付けられた状態において、第２の斜面３２２ｂは、天板３１０から第１の壁面１１０へ向かって下方へ傾斜している。
【００３３】
図２に表したように、第１の斜面３２２ａが第２の斜面３２２ｂと接続された部分３２７は、平面が他の平面と接続された構造ではなく、湾曲した構造を有していてもよい。言い換えれば、第１の斜面３２２ａが第２の斜面３２２ｂと接続された部分３２７は、平面が他の平面と接続された部分に生ずる線を有しておらず、ラウンド部を有していてもよい。
【００３４】
ここで、任意の角部において入隅が形成されている場合であって、入隅の角度（角部の角度）が９０度以下である場合には、入隅を掃除することは困難である。入隅にこびりついた水垢や石鹸カスを落とすことは、容易ではない。また、そのような入隅の掃除には手間がかかる。  
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００３５】
これに対して、本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００３６】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタ３００の見栄えはより良好である。
【００３７】
また、天板３１０の全ての側端面が浴槽２００、第１の壁面１１０、および第２の壁面１２０から水平方向に離間しているため、例えば清掃者は、汚れが付着した天板３１０の側端面を端から端まで洗剤およびスポンジなどの清掃用具でより簡単に擦り洗いすることができる。
【００３８】
前述したように、支持材３２０が第１の壁面１１０に取り付けられた状態において、第１の斜面３２２ａは、天板３１０から第１の壁面１１０へ向かって上方へ傾斜している。そのため、第１の斜面３２２ａが第１の壁面１１０と垂直に接続された場合、あるいは第１の斜面３２２ａが天板３１０から第１の壁面１１０へ向かって下方へ傾斜した場合と比較すると、支持材３２０の上面３２２を流れる水は、第１の壁面１１０には到達し難い。そのため、第１の斜面３２２ａは、支持材３２０の上面３２２を流れ第１の壁面１１０に到達する水の量を低減することができる。そのため、水が支持材３２０と第１の壁面１１０との間の角部３９１に溜まり、汚れが角部３９１に付着することを抑制することができる。これにより、本実施形態にかかる浴室用カウンタ３００の清掃性を向上させることができる。
【００３９】
また、支持材３２０が第１の壁面１１０に取り付けられた状態において、第１の斜面３２２ａが天板３１０から第１の壁面１１０へ向かって上方へ傾斜しているため、支持材３２０と第１の壁面１１０との間の角部３９１の角度は、９０度よりも大きい。そのため、仮に角部３９１に汚れが付着した場合でも、例えば清掃者は、角部の角度が９０度以下である場合と比較すると、角部３９１を清掃しやすい。これにより、本実施形態にかかる浴室用カウンタ３００の清掃性を向上させることができる。
【００４０】
また、支持材３２０が第１の壁面１１０に取り付けられた状態において、第２の斜面３２２ｂが天板３１０から第１の壁面１１０へ向かって下方へ傾斜しているため、天板３１０から第２の斜面３２２ｂに流れ落ちた水は、第２の斜面３２２ｂを流下する。これにより、第１の斜面３２２ａよりも前方側にある支持材３２０の上面３２２において、水が溜まる面積を小さくすることができる。したがって、支持材３２０の上面３２２に水が溜まり、汚れが支持材３２０の上面３２２に付着することを抑制することができる。これにより、浴室用カウンタ３００の清掃性を向上させることができる。
【００４１】
さらに、図２に表したように、第１の斜面３２２ａが第２の斜面３２２ｂと接続された部分３２７がラウンド部を有する場合には、その部分３２７がラウンド部を有していない場合と比較すると、例えば清掃者は、その部分３２７を清掃しやすい。これにより、本実施形態にかかる浴室用カウンタ３００の清掃性を向上させることができる。
【００４２】
図４に表したように、支持材３２０のうちで天板３１０と第１の壁面１１０との間に存在する部分の横方向の長さＤ５は、天板３１０の横方向の長さＤ４よりも短い。  
本願明細書において「横方向」とは、水平方向であって壁面１１０に平行な方向をいう。  
これにより、水がかかりやすい支持材３２０の上面３２２の面積を小さく抑えることで、支持材３２０の上面３２２に水が溜まる面積を小さく抑えることができる。これにより、支持材３２０において水垢や石鹸カスなどによる汚れが発生する面積を抑えることができるため、支持材３２０を清掃する手間を低減することができる。
【００４３】
図６は、本実施形態の天板の側端面に付着した汚れを表す模式的平面図である。  
図６は、図１に表した矢印Ａ１の方向にみたときの浴室用カウンタを表す模式的平面図である。
【００４４】
天板３１０の上面３１６には、例えば洗面器が載置される。そのため、界面活性剤を含んだ水が天板３１０の上面３１６に流れることがある。天板３１０の上面３１６に流れた水は、天板３１０の略全体の周囲から側面を伝って洗い場１００へ落下する。そのため、図６に表したように、水垢あるいは石鹸カスなどの汚れＤは、天板３１０の側端面に残留しやすい。例えば、汚れＤは、側端面の下端に残留しやすい。
【００４５】
図６は、汚れＤが第３の側端面３１３と第４の側端面３１４との間に残留した例を表している。汚れＤが残留する箇所は、第３の側端面３１３と第４の側端面３１４との間には限定されない。汚れＤは、第１の側端面３１１と、第２の側端面３１２と、第３の側端面３１３と、第４の側端面３１４と、の少なくともいずれかに残留することがある。
【００４６】
次に、天板３１０の手入れ方法について、図面を参照しつつ説明する。  
図７は、天板の手入れ方法の一例を例示する模式的平面図である。
【００４７】
例えば清掃者は、洗剤等を含ませた清掃用具Ｃで天板３１０の側端面を擦り洗いすることによって、天板３１０の側端面の下端に付着した汚れＤを落とすことができる。このとき、第１の側端面３１１と第１の壁面１１０との間の距離Ｄ１、第２の側端面３１２と浴槽２００の側面２１０との間の距離Ｄ２、および第３の側端面３１３と第２の壁面１２０との間の距離Ｄ３のそれぞれは、３０ｍｍ以上である。そのため、図７に表したように、例えば清掃者は、清掃用具Ｃを掴んだ手指Ｆを隙間Ｓ１、Ｓ２、Ｓ３に容易に差し込むことができる。
【００４８】
支持材３２０の一端は、天板３１０の下面３１７のうち第１の側端面３１１、第２の側端面３１２、第３の側端面３１３、および第４の側端面３１４から離れた位置に取り付けられている。そのため、天板３１０の全ての側端面と支持材３２０との間において入隅が形成されることはなく、天板３１０の全ての側端面の下方には、空間が存在する。
【００４９】
これにより、例えば清掃者は、天板３１０の全ての側端面を力を入れて擦り洗いすることができる。また、天板３１０の側端面に付着した汚れは、入隅に付着した汚れよりも容易に擦り落とすことができる。したがって、天板３１０の側端面の下端などに付着した水垢や石鹸カスなどの汚れＤをより簡単に落とすことができる。これにより、天板３１０の側端面にカビが発生することを抑制することができる。
【００５０】
次に、本実施形態の変形例にかかる浴室用カウンタについて、図面を参照しつつ説明する。  
図８は、本実施形態の変形例にかかる浴室用カウンタを表す模式的平面図である。  
図８は、図１に表した矢印Ａ３の方向にみたときの浴室用カウンタを表す模式的平面図に相当する。
【００５１】
本変形例の浴室用カウンタ３００ａは、天板３１０ａと、支持材３２０と、を備える。支持材３２０は、図１〜図５に関して前述した通りである。  
図８に表したように、本変形例の天板３１０ａの第１の側端面３１１は、曲面を有する。本変形例の天板３１０ａの第４の側端面３１４は、曲面を有する。また、第１の側端面３１１および第４の側端面３１４のそれぞれと、天板３１０の上面３１６と、の間には、角部は存在しない。第１の側端面３１１および第４の側端面３１４のそれぞれと、天板３１０の下面３１７と、の間には、角部は存在しない。  
これらは、第２の側端面３１２および第３の側端面３１３についても同様である。
【００５２】
本変形例によれば、天板３１０の側端面が曲面を有することにより、例えば清掃者は、拭き掃除をより一層手軽に行うことができる。また、支持材３２０が第１の壁面１１０に取り付けられた状態において、第１の斜面３２２ａは、天板３１０ａから第１の壁面１１０へ向かって上方へ傾斜している。これにより、本変形例にかかる浴室用カウンタ３００ａの清掃性を向上させることができる。
【００５３】
図９は、本実施形態の他の変形例にかかる浴室用カウンタを表す模式的平面図である。  図９は、図１に表した矢印Ａ３の方向にみたときの浴室用カウンタを表す模式的平面図に相当する。
【００５４】
本変形例の浴室用カウンタ３００ｂは、天板３１０ｂと、支持材３２０と、補強材３３０と、を備える。図９に表したように、天板３１０ｂの上面３１６と、天板３１０ｂの側端面と、の間にはラウンド部が設けられている。天板３１０ｂの下面３１７と、天板３１０ｂの側端面と、の間にはラウンド部が設けられている。
【００５５】
補強材３３０は、天板３１０ｂと、支持材３２０と、の間に設けられている。補強材３３０は、天板３１０ｂの撓みを抑える。図４に表したように、支持材３２０のうちで天板３１０と第１の壁面１１０との間に存在する部分の横方向の長さＤ５が天板３１０の横方向の長さＤ４よりも短い場合でも、補強材３３０は、天板３１０ｂの撓みを抑えることができる。  
なお、補強材３３０は、支持材３２０と一体化されていてもよい。
【００５６】
本変形例のように、支持材３２０が補強材３３０を介して天板３１０ｂを支持する例は、本実施形態の範囲に含まれる。
【００５７】
補強材３３０は、天板３１０の下面３１７のうち第１の側端面３１１、第２の側端面３１２、第３の側端面３１３、および第４の側端面３１４から離れた位置に取り付けられている。そのため、例えば清掃者は、汚れが付着した天板３１０ｂの側端面を端から端まで洗剤およびスポンジなどの清掃用具Ｃでより簡単に擦り洗いすることができる。また、支持材３２０が第１の壁面１１０に取り付けられた状態において、第１の斜面３２２ａは、天板３１０ｂから第１の壁面１１０へ向かって上方へ傾斜している。これにより、本変形例にかかる浴室用カウンタ３００ｂの清掃性を向上させることができる。
【００５８】
次に、本実施形態にかかる浴室用カウンタの具体例について、図面を参照しつつ説明する。  
図１０は、本実施形態の具体例にかかる浴室用カウンタを表す模式的分解図である。  
図１１は、本具体例にかかる浴室用カウンタを表す模式的平面図である。  
図１２は、本具体例にかかる浴室用カウンタを表す模式的断面図である。  
図１１は、図１に表した矢印Ａ３の方向にみたときの本具体例にかかる浴室用カウンタを表す模式的平面図に相当する。図１２は、図３に表した切断面Ａ−Ａにおける模式的断面図に相当する。
【００５９】
図１０〜図１２に表したように、本具体例にかかる浴室用カウンタ３００は、天板３１０と、支持材３２０と、補強材３３０と、を備える。支持材３２０は、支持材本体３６０と、第１のカバー３４０と、第２のカバー３５０と、を有する。図１２に表したように、支持材本体３６０の一端は、第１の壁面１１０に固定されている。支持材本体３６０の他端は、補強材３３０を介して天板３１０の下面３１７を支持している。
【００６０】
補強材３３０は、支持材本体３６０と、天板３１０と、の間に設けられている。補強材３３０は、脚部３３１を有し、支持材本体３６０の上に載置されている。補強材３３０は、天板３１０を支持するとともに天板３１０を補強する。
【００６１】
支持材本体３６０は、取付面３６１と、上面３６２と、を有する。上面３６２は、支持面３６２ａと、傾斜面３６２ｂと、を有する。支持面３６２ａは、支持材本体３６０が第１の壁面１１０に取り付けられた状態において水平方向と略平行である。傾斜面３６２ｂは、支持面３６２ａと取付面３６１とに接続されている。
【００６２】
支持材本体３６０のうちで天板３１０と第１の壁面１１０との間に存在する部分の横方向の長さＤ７は、天板３１０の横方向の長さＤ６よりも短い。また、第１のカバー３４０および第２のカバー３５０が取り付けられた状態であっても、支持材３２０のうちで天板３１０と第１の壁面１１０との間に存在する部分の横方向の長さは、天板３１０の横方向の長さＤ６よりも短い。これにより、水がかかりやすい支持材３２０の上面の面積を小さく抑えることで、支持材３２０の上面に水が溜まる面積を小さく抑えることができる。これにより、支持材３２０において水垢や石鹸カスなどによる汚れが発生する面積を抑えることができるため、支持材３２０を清掃する手間を低減することができる。
【００６３】
本具体例の第１のカバー３４０は、支持材本体３６０の傾斜面３６２ｂに取り付けられ、支持材本体３６０の傾斜面３６２ｂを覆う。第２のカバー３５０は、支持材本体３６０の下方に設けられ、支持材本体３６０の下面および支持材本体３６０の側面を覆う。つまり、第１のカバー３４０および第２のカバー３５０は、支持材本体３６０の外周を覆う。なお、支持材本体３６０の外周を覆うカバーは、第１のカバー３４０および第２のカバー３５０を有することには限定されず、１つの部材により形成されていてもよい。あるいは、支持材本体３６０の外周を覆うカバーは、３つ以上の部材を有していてもよい。
【００６４】
第１のカバー３４０は、傾斜面部３４１と、立面部３４２と、を有する。立面部３４２は、傾斜面部３４１と接続され、傾斜面部３４１の縁から傾斜面部３４１に対して略垂直方向に延在している。傾斜面部３４１は、支持材本体３６０の傾斜面３６２ｂに略沿う形状を有する。
【００６５】
傾斜面部３４１は、上面３４３を有する。上面３４３は、第１の斜面３４３ａと、第２の斜面３４３ｂと、を有する。第１の斜面３４３ａの一端は、第１の壁面１１０に接続されている。第１の斜面３４３ａの他端は、第２の斜面３４３ｂに接続されている。第２の斜面３４３ｂの一端は、第１の斜面３４３ａに接続されている。支持材３２０が第１の壁面１１０に取り付けられた状態において、第２の斜面３４３ｂは、天板３１０よりも後方側かつ第１の斜面３４３ａよりも前方側に配置されている。第２の斜面３４３ｂの他端が延長された部分は、立面部３４２を介して天板３１０の下面３１７に接続されている。
【００６６】
図１１および図１２に表したように、支持材本体３６０が第１の壁面１１０に取り付けられた状態において、第１の斜面３４３ａは、天板３１０から第１の壁面１１０へ向かって上方へ傾斜している。第１の斜面３４３ａと、第１の壁面１１０と、の間には、角部３９１が存在する。支持材本体３６０が第１の壁面１１０に取り付けられた状態において、第２の斜面３４３ｂは、天板３１０から第１の壁面１１０へ向かって下方へ傾斜している。
【００６７】
第１のカバー３４０は、リブ（変形抑制手段）３４５を有する。リブ３４５は、第１のカバー３４０を補強し、第１のカバー３４０が変形することを抑制する。リブ３４５の下端は、第１のカバー３４０が支持材本体３６０に取り付けられた状態において、支持材本体３６０と接触していてもよいし、接触していなくともよい。例えば、第１のカバー３４０は、物が第１のカバー３４０の上面３４３に落下すると撓む。このときに、リブ３４５の下端は、支持材本体３６０の上面３６２（本具体例では傾斜面３６２ｂ）と当接し、第１のカバー３４０の変形を抑制してもよい。
【００６８】
本具体例によれば、第１のカバー３４０および第２のカバー３５０が支持材本体３６０の周囲を覆うことにより、支持材本体３６０は、比較的複雑な構造を有することができる。比較的複雑な構造としては、例えば、図１０に表したように、天板３１０を支える耐荷重性を確保するためのリブ３６３が設けられた構造などが挙げられる。つまり、支持材本体３６０の周囲を第１のカバー３４０および第２のカバー３５０で覆うことにより、支持材３２０の周囲を平面や曲面などの面により形成することができる。これにより、支持材本体３６０の耐荷重性を確保しつつ、支持材３２０を比較的容易に清掃することができる。また、図１〜図５に関して前述した効果と同様の効果が得られる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室用カウンタ３００、３００ａ、３００ｂおよび支持材３２０などが備える各要素の形状、寸法、材質、配置などや支持材３２０、支持材本体３６０、第１のカバー３４０、および第２のカバー３５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 浴室、  １００ 洗い場、  １１０ 第１の壁面、  １２０ 第２の壁面、  ２００ 浴槽、  ２１０ 側面、  ３００、３００ａ、３００ｂ 浴室用カウンタ、  ３１０、３１０ａ、３１０ｂ 天板、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ３２２ 上面、  ３２２ａ 第１の斜面、  ３２２ｂ 第２の斜面、  ３２７ 部分、  ３３０ 補強材、  ３３１ 脚部、  ３４０ 第１のカバー、  ３４１ 傾斜面部、  ３４２ 立面部、  ３４３ 上面、  ３４３ａ 第１の斜面、  ３４３ｂ 第２の斜面、  ３４５ リブ、  ３５０ 第２のカバー、  ３６０ 支持材本体、  ３６１ 取付面、  ３６２ 上面、  ３６２ａ 支持面、  ３６２ｂ 傾斜面、  ３６３ リブ、  ３７１、３７２ 締結具、  ３９１ 角部、  ４００ 水栓、  ５００ 鏡
【図１】
0006547937.tif 000002
【図２】
0006547937.tif 000003
【図３】
0006547937.tif 000004
【図４】
0006547937.tif 000005
【図５】
0006547937.tif 000006
【図６】
0006547937.tif 000007
【図７】
0006547937.tif 000008
【図８】
0006547937.tif 000009
【図９】
0006547937.tif 000010
【図１０】
0006547937.tif 000011
【図１１】
0006547937.tif 000012
【図１２】
0006547937.tif 000013